(57)【要約】      （修正有）【課題】生ごみ収納器本体に使用するはもちろんのこと、更に数種類のキッチングッズや調理具ホルダーにも流用を可能とした生ごみ収納器を提供する。【解決手段】生ごみ収納器本体Ｅを凹凸形状に上下に２分割し、その上部の本体Ｒを逆さまにシンク内外に設置して凸部の上部を支点にザルなどの水切り台として使用し、下部本体Ｓは通常の置き型または真逆に設置した際に鍋やフライパンが仮置きできるコンロコーナーラックや様々な調理具ホルダーに使用できるような形状を施すこと（凹凸、コの字、穴、収納器の固定台、または分離式の生ごみ収納器本体の安定板に前記形状を施す等）で、生ごみ収納器本体に使用するはもちろんのこと、更に数種類のキッチングッズや調理具ホルダーにも流用を可能とした生ごみ収納器。【選択図】図１
2020117398.tif 000002
【特許請求の範囲】
【請求項１】
生ごみ収納器本体側面外周を凹凸（平らではない）形状に上下に２分割し、簡単に接合や分離を可能とした接合構造を施しあるいは加工して、収納器を分離した際に分離されるその凹凸を利用して２種以上の調理具ホルダーとして利用を可能とした特徴を有する生ごみ収納器。
【発明の詳細な説明】
【技術分野】
【０００１】
本発明は、各家庭における調理場で使用される置き型生ゴミ収納器に関するものである。
【背景技術】
【０００２】
特許登録―４７１２９０１に記載されている生ゴミ収納器上部を利用する際に安定板を
備えた生ごみ収納器
【先行技術文献】
【特許文献】
【０００３】
特許登録―４７１２９０１  
登録実用―３１６５６２７、
登録実用―３１２２８５４
特願２００５−１３３０２２
【発明の概要】
【発明が解決しようとする課題】
【０００４】
調理場のシンク内の生ごみの分別に三角コーナーが用いられているが、近年三角コーナーを使用するユーザーが減ってきている。そこで三角コーナー（生ごみ収納器）の必要性に付加価値を付けることで利便性向上をめざし、生ごみ収納器の有効利用をめざしキッチングッズのイメージアップを図る。
【課題を解決するための手段】
【０００５】
生ごみ収納器本体を凹凸形状に上下に２分割し、その上部の本体を逆さまにシンク内外に設置して凸部の上部を支点にザルなどの水切り台として使用し、下部本体は通常の置き型または真逆に設置した際に鍋やフライパンが仮置きできるコンロコーナーラックや
様々な調理具ホルダーに使用できるような形状を施すこと（凹凸、コの字、穴、収納器の固定台、または分離式の生ごみ収納器本体の安定板に前記形状を施す等）で、生ごみ収納器本体に使用するはもちろんのこと、更に数種類のキッチングッズや調理具ホルダーにも流用を可能とした生ごみ収納器である。
【発明の効果】
【０００６】
生ごみ収納器本体を上下に簡単に分割したり接合できる構造から、生ごみ収納容器として使う以外にコンロコーナーラック等に使用される調理具ホルダーRと凹凸リング水切り調理具ホルダーSとして合計で三種類のキッチン用品に使用を可能した事。
【図面の簡単な説明】
【０００７】
【図１】生ごみ収納器本体を上下に凹凸（平らではない）形状に分割する説明図
【図２】生ごみ収納器に取り付けた水切り棒とその説明図
【図３】水切り用の穴の無いゴミ袋から水切り棒で水切りを行う説明図
【発明を実施するための形態】
【実施例１】
【０００８】
以下、本発明についての説明に入る。
本発明は調理場で使用されているシンク底面に設置される置き型生ゴミ収納器において、置き型生ゴミ収納器の底部に空間成形安定板を備えてさまざまな置き型生ゴミ収納器のデザインや生ゴミ収納器上部の利用する考案である。
【０００９】
従来、生ごみ収納器の用途目的は調理中にでるシンク内の生ごみを収納しておくための容器が一般的であった。
【００１０】
最近では、ディスポーザーや排水溝入口付近に水切りネットをかぶせて生ごみを溜める方法などがあり必要性を感じないユーザーも増えている傾向も窺える。
【００１１】
しかし排水口に水切りネットをかぶせた方法は、水切りネットの使用枚数量が増え不経済的な問題点の声も聞く。個人差はあるが、便利な方法として生ごみ収納器との臨機応変に使い分けるのが望ましい方法と考える。
【００１２】
今回の考案は、生ごみ処理を排水溝で行うユーザーにお薦めであり、生ごみ収納器をあまり使わないユーザーの方に好んでいただける考案である。それは生ごみ収納器の非使用時に関する生ごみ収納器の新利用方法にある。非使用時シンク内からはずし、戸棚にはしまわずに調理場のシンク外上部やキッチンカウンターにおいて調理具ホルダーとして利用する考案である。
【００１３】
生ごみ収納器本体を凹凸形状に上下に２分割し、その上部の本体を逆さまにシンク内外に設置して凸部の上部を支点にザルなどの水切り台として使用し、下部本体は通常の置き型または真逆に設置した際に鍋やフライパンが仮置きできるコンロコーナーラックや
様々な調理具ホルダーに使用できるような形状を施すこと（凹凸、コの字、穴、収納器の固定台、または分離式の生ごみ収納器本体の安定板に前記形状を施す等）で、生ごみ収納器本体に使用するはもちろんのこと、更に数種類のキッチングッズや調理具ホルダーにも流用を可能とした生ごみ収納器である。
【００１４】
また、２分割された生ごみ収納器本体の上部を更に直線（平面）で分割したリング（三角、四角、さまざまな形状）を壁の吊り具などに掛けて、ふきんやタイル掛けに利用する事も可能であり、つまり一つの生ごみ収納器が３種の調理具等のキッチングッズに利用できる特徴を有する。
【００１５】
三角だと通常使用時の置き方以外に４通りの置き方が可能で、４角だと５通りの置き方が可能で置く位置に合わせた調理具ホルダー部を形成する事も可能である。
【実施例２】
【００１６】
次に実施例２として生ごみ収納器に取り付けた水切り棒の説明にはいる。
【００１７】
レジ袋や水切り穴の無い袋を三角コーナーに入れ、溜まった生ごみを水分を含んだまま、
捨てていることが多分にしてある事と思われるが、環境に悪影響を及ぼすことから、各家庭内で生ごみの水分処理は行わなければならない。
【００１８】
通常三角コーナー用の水切り穴の開いている水切り袋を使用することで水分の処理が済まされるが、各家庭で不要になったレジ袋や水切り穴の無いゴミ袋を三角コーナーに代用した際の水切り処理を行う水切り排水棒を考案した。
【００１９】
考案した水切り排水棒の構成として、T１はパイプ状の円筒で上部に生ごみ収納器本体に接合される接合部T２が施され、水切り用の穴（T４）が等間隔にあけてある。
【００２０】
U１は、T１の筒の外径を内径としたパイプ状の円筒で、図２のようにU１に挿入し組み合わせた際に水切り穴の位置が重なる部分に水切り穴（U4）があいている。
【００２１】
また、U１の側面U３はゴミ袋を合わせた水分を排水する際の水漏れストッパーであり、底部は排水口になる部分U２である。
【００２２】
T１の円筒にU１の円筒を挿入し組み合わせたとき、円筒形状から図２W１の矢印のように左右に回転が可能な構成であり、T１とU１の組み合わせる表面にわずかな段差形状を加えた（W２）抜け止めを設けて挿入した位置を簡単に固定される。この時左右の回転は可能である。
【００２３】
T１とU1の水切り穴の位置関係は、例えば１８０度の間隔で水切り穴があいている場合、
最初の時点でT４とU４が同じ位置だと水切り排水効率１００％とした場合、T２のつまみを使って９０度回転させると遮断される理論から水切り排水効率０％となる。つまり、排水効率をT２をつまんで簡単に変化させる構造であることから、生ごみの質によって穴の大きさをかえられ構造である。
【００２４】
使用方法をしては、生ごみ収納器本体の接合から取り外し、生ごみに入ったゴミ袋に水切り排水棒の水切り穴のあいている側を差し込みX２の位置で手で固定して袋を絞り、目詰まりしたときは袋の外側からT２を回転さることで水の通りが解消可能な構造である。
今回の考案としたのは、三角コーナーにとりつけたとってを改良した発想であるが、W１の水切り排水棒として単体の製品化が望ましいことも想定できるが、三角コーナー本体の分割した利用方法としての一つ発想である。
【産業上の利用可能性】
【００２５】
利便性にすぐれた生ごみ収納器
【符号の説明】
【００２６】
E    生ゴミ収納器本体
F１  生ゴミ収納器本体の通常の上げ底台
F２    生ゴミ収納器本体底部に傾斜に対応した長い上げ底台
G    側面水切り用のスリット（孔、穴）
H    底部水切り用のスリット（孔、穴）
I    水切り用の穴が開けてある底部面
J    水切り用の穴が無い傾斜のついた底部
K    生ゴミ収納器本体の中心線
（生ゴミ収納器本体のK線右側を水滴こぼれ防止ガイド面となる）
L    シンク内に設置される水平線
M    水こぼれしない移動時に傾ける方向線
N    GとJの接合部
O    本体を傾けた際の容量を増やす説明線
Q    生ごみ収納器本体を凹凸（平らではない）形状に上下に分割する説明線
R    分割された生ごみ収納器本体の上部
S    分割された生ごみ収納器本体の下部
T１  水切り棒内チューブ本体
T２  水切り棒吐出量調整つまみ
T３  水切り棒の水切り穴無部
T４  水切り棒の水切り穴部
U１  水切り棒外側チューブ本体
U２  U１の排水口
U３  ゴミ袋口水漏れストッパー部
U４  水切り棒外側チューブ水切り穴
W１  T１+U１で考案した水切り棒本体
W２  Ｕ２にT１を組み合わせた際の抜け止め
X１  生ごみの入った袋
X２  生ごみの入った袋に水切り棒を入れた際の握り部
【図１】
2020117398.tif 000003
【図２】
2020117398.tif 000004
【図３】
2020117398.tif 000005